【手続補正書】
【提出日】平成26年4月15日(2014.4.15)
【手続補正１】
【補正対象書類名】特許請求の範囲
【補正対象項目名】全文
【補正方法】変更
【補正の内容】
【特許請求の範囲】
【請求項１】
力駆動バルブ要素、流体入口、および流体出口を囲むように構成された第１の室部と、
上記第１の室部を囲むように構成されて基準圧力口と連通する第２の室部と、
上記第２の室部、および、上記流体出口に流体連通されるフィードバック入口を囲むように構成された第３の室部とを有し、
上記力駆動バルブ要素は上記第１の室部の外に延びない圧力安定化器組立体。
【請求項２】
上記第３の室部の内部の圧力は、閾値圧力より大きいときに、上記第２の室部に加わり上記第２の室部をゆがめる力を生じさせ、この力により上記第１の室部がゆがめられる請求項１記載の圧力安定化器組立体。
【請求項３】
上記第１の室部のゆがみ、および、上記力駆動バルブ要素の閉止状態へ、または閉止状態からの移動が比例する請求項１または２のいずれかに記載の圧力安定化器組立体。
【請求項４】
上記第１の室部のゆがみは、上記力駆動バルブ要素が閉じて上記流体入口から上記流体出口への流体の流れが妨げられるのに充分である請求項１〜３のいずれかに記載の圧力安定化器組立体。
【請求項５】
上記流体入口および上記流体出口は同一平面にある、あるいは、上記流体入口、上記流体出口、上記基準圧力口、および、上記フィードバック入口は同一平面にある請求項１〜４のいずれかに記載の圧力安定化器組立体。
【請求項６】
上記第１、第２または第３の室部の任意の１つに存在する機構要素が、任意の他の室部に入り込まない請求項１〜５のいずれかに記載の圧力安定化器組立体。
【請求項７】
上記フィードバック入口からの流体の流れから形成された圧力が、これにより、上記力駆動バルブ要素を開位置から閉位置に移動させるのに充分である請求項１〜６のいずれかに記載の圧力安定化器組立体。
【請求項８】
マルチポート流体マニホールドに固着された請求項１〜７のいずれかに記載の圧力安定化器組立体。
【請求項９】
上記第１の室部の頂部と直交し、上記第１の室部の頂部へ向かう力ベクトルを含む印加外部力が、上記力駆動バルブ要素を閉位置へ移動させるように、上記第１、第２、および第３の室部が構成される請求項１〜８のいずれかに記載の圧力安定化器組立体。
【請求項１０】
力拘束要素をさらに有し、上記力拘束要素は上記第２の室部の歪みに抗する力を加える請求項１〜９のいずれかに記載の圧力安定化器組立体。
【請求項１１】
複合要素をさらに有し、上記複合要素は上記第１の室部の壁および上記力抑制要素を有する請求項１０記載の圧力安定化器組立体。
【手続補正２】
【補正対象書類名】明細書
【補正対象項目名】００９４
【補正方法】変更
【補正の内容】
【００９４】
以下の特許請求の範囲は詳細な説明に組み入れられ、各技術的特徴はそれ独自で個別の実施例である。この発明の範囲は、特許請求の範囲に加えて、そのような特許請求の範囲と均等と考えられるすべての範囲を参照にして決定されるべきである。
以下、本発明の技術的特徴を列挙する。
［技術的特徴１］
力駆動バルブ要素、流体入口、および流体出口を囲むように構成された第１の室部と、
上記第１の室部を囲むように構成されて基準圧力口と連通する第２の室部と、
上記第２の室部およびフィードバック入口を囲むように構成された第３の室部とを有し、
上記力駆動バルブ要素は上記第１の室部の外に延びない圧力安定化器組立体。
［技術的特徴２］
上記第３の室部の内部の圧力は、閾値圧力より大きいときに、上記第２の室部に加わり上記第２の室部をゆがめる力を生じさせ、この力により上記第１の室部がゆがめられる技術的特徴１記載の圧力安定化器組立体。
［技術的特徴３］
上記第１の室部のゆがみ、および、上記力駆動バルブ要素の閉止状態へ、または閉止状態からの移動が比例する技術的特徴１または２記載の圧力安定化器組立体。
［技術的特徴４］
上記第１の室部が十分にゆがむと、上記力駆動バルブ要素が閉じて上記流体入口から上記流体出口への流体の流れが妨げられるようになっている技術的特徴１〜３のいずれかに記載の圧力安定化器組立体。
［技術的特徴５］
上記室部の上記十分なゆがみは、閾値歪みをこえる歪みを含む技術的特徴４に記載の圧力安定化器組立体。
［技術的特徴６］
上記流体入口および上記流体出口は同一平面にある技術的特徴１〜５のいずれかに記載の圧力安定化器組立体。
［技術的特徴７］
上記流体入口、上記流体出口、上記基準圧力口、および、上記フィードバック入口は同一平面にある技術的特徴１〜６のいずれかに記載の圧力安定化器組立体。
［技術的特徴８］
上記第１、第２または第３の室部の任意の１つに存在する機構要素が、任意の他の室部に入り込まない技術的特徴１〜７のいずれかに記載の圧力安定化器組立体。
［技術的特徴９］
上記フィードバック入口からの流体の流れから形成された十分な圧力が、つぎに、上記力駆動バルブ要素を開位置から閉位置に移動させる技術的特徴１〜８のいずれかに記載の圧力安定化器組立体。
［技術的特徴１０］
マルチポート流体マニホールドに固着された技術的特徴１〜９のいずれかに記載の圧力安定化器組立体。
［技術的特徴１１］
上記室部のうちの任意の２つの間の流体の流れが上記流体マニホールド内の経路を通じて実現される技術的特徴１０に記載の圧力安定化器組立体。
［技術的特徴１２］
上記第１の室部の頂部と直交し、上記第１の室部の頂部へ向かう力ベクトルを含む印加外部力が、上記力駆動バルブ要素を閉位置へ移動させるように、上記第１、第２、および第３の室部が構成される技術的特徴１〜１１のいずれかに記載の圧力安定化器組立体。
［技術的特徴１３］
力拘束要素をさらに有し、上記力拘束要素は上記第２の室部の歪みに抗する力を加える技術的特徴１〜１２のいずれかに記載の圧力安定化器組立体。
［技術的特徴１４］
上記力拘束要素は、金属コイルバネ、ベルビルワッシャー、圧縮発砲体、エラスチック発砲体、またはエラストメリック発砲体を有する技術的特徴１３記載の圧力安定化器組立体。
［技術的特徴１５］
上記第２の室部は少なくとも１つの上記力拘束要素を囲むように構成される技術的特徴１３または１４のいずれかに記載の圧力安定化器組立体。
［技術的特徴１６］
上記第２の室部の壁の少なくとも部分が上記力拘束要素を有する技術的特徴１３〜１５のいずれかに記載の圧力安定化器組立体。
［技術的特徴１７］
複合要素をさらに有し、上記複合要素は上記第１の室部および上記力抑制要素を有する技術的特徴１３〜１６のいずれかに記載の圧力安定化器組立体。
［技術的特徴１８］
上記力抑制要素を有する、上記複合要素の一側面はベルビルワッシャを有する技術的特徴１７に記載の圧力安定化器組立体。
［技術的特徴１９］
上記複合要素は上記第２の室部の壁の少なくとも部分をさらに有する技術的特徴１７または１８のいずれかに記載の圧力安定化器組立体。
［技術的特徴２０］
上記第１の室部、上記第２の室部、上記第３の室部、または上記力駆動バルブ要素の少なくとも１つが、ポリエステル、ポリエステルグリコール、ポリカーボネート、ポリオレフィン、ナイロン、アクリル、ポリビニルクロライド、または金属を含む技術的特徴１〜１９のいずれかに記載の圧力安定化器組立体。
［技術的特徴２１］
技術的特徴１〜２０のいずれかに記載の圧力安定化器組立体として少なくとも第１および第２の圧力安定化器組立体を有するシステムにおいて、上記第１および第２の圧力安定化器組立体が直列に配列されて出力圧力に対する入力圧力の衝撃を減少させることを特徴とするシステム。
［技術的特徴２２］
技術的特徴１〜２１のいずれかの圧力安定化組立体を有する、燃料電池用の燃料供給システム。
［技術的特徴２３］
圧力安定化器組立体の製造方法において、
平面流体マニホールドを形成または供給するステップと、
寸法の異なる複数の室部を形成するステップと、
上記複数の室部を上記平面マニホールドの表面に入れ子状態で積み重ねるステップと、
上記室部の一部を上記平面マニホールドの上記表面に結合させて技術的特徴１〜２２のいずれかに記載の圧力安定化器組立体を実現するステップとを有する製造方法。
［技術的特徴２４］
圧力安定化器組立体の製造方法において、
流体入口、流体出口、基準圧力口、およびフィードバック入口を具備する平面流体マニホールドを形成まあは供給するステップと、
第１の室部、第２の室部、および第３の室部を形成または供給するステップと、
上記第１の室部を上記マニホールド上に配置して上記第１の室部が力駆動バルブ要素、上記流体入口、および上記流体出口を囲むようにするステップと、
上記第２の室部を上記マニホールドに積み重ねて上記第２の室部が上記第１の室部を囲み、かつ上記基準圧力口と連通するようにするステップと、
上記第３の室部を上記マニホールドに積み重ね、上記第３の室部が上記第２の室部および上記フィードバック入口を囲むようにするステップと、
上記の室部の一部を上記平面マニホールドの上記表面に結合させるステップとを有する製造方法。
［技術的特徴２５］
上記第１の室部の材料特性が上記第２の室部または上記第３の室部の材料特性と異なる技術的特徴２３または２４のいずれかに記載の製造方法。
［技術的特徴２６］
上記複数の室部を形成するステップは少なくとも部分的に熱成形プロセスを含む技術的特徴２３〜２５のいずれかに記載の製造方法。
［技術的特徴２７］
力駆動バルブ要素、流体入口、および流体出口を囲むように構成された第１の室部と、
上記第１の室部を囲むように構成されて基準圧力口と連通する第２の室部と、
上記第２の室部およびフィードバック入口を囲むように構成された第３の室部と、
力拘束要素であって、上記第２の室部の歪みに抗する力を加えるものと、
複合要素であって、上記第１の室部および上記力抑制要素を有するものとを有し、
上記力駆動バルブ要素は上記第１の室部の外に延びない圧力安定化器組立体。